(57)【要約】【課題】転写ヘッドが転写対象物に対してスライドする方向を案内するガイドを備えると共に左右どちらの手で操作しても同じ操作感で使用可能な転写具を提供することを課題とする。【解決手段】ケース本体３の前方にケース本体３に収容した転写テープ４を折り返す転写ヘッド２を設け、ケース本体３の両側にガイド体７を配設し、ケース本体３の両側面に設けた係止凸部３ｂを設け、係止凸部３ｂとガイド体7の側面に設けた係止凹部７ａと回動可能に係止する。【選択図】図２
2016101740.tif 000002
【特許請求の範囲】
【請求項１】
ケース本体の前方に該ケース本体に収容した転写テープを折り返す転写ヘッドを設け、前記転写ヘッドを介して前記転写テープの基材上の転写物を被転写面へ転写する転写具であって、前記ケース本体の両側にガイド体を配設し、前記ガイド体の前記ケース本体側に係止部を設け、前記ケース本体の両側面に被係止部を形成して該被係止部と前記係止部とを回動可能に係止し、前記ガイド体を回動することで該ガイド体の外縁を前記ケース本体の底面の下方へ突出させることを特徴とした転写具。
【請求項２】
前記ガイド体を前記ケース本体の側方から視て、外縁が円形や楕円形などの曲線形状で形成し、転写動作時に前記ケース本体の両側に配設した２つの前記ガイド体のうち、一方のガイド体の外縁を被転写面に対して当接させたことを特徴とした請求項１に記載の転写具。
【発明の詳細な説明】
【技術分野】
【０００１】
本発明は、転写テープの基材に塗着した糊等の粘着材、修正剤や着色剤等の転写物を紙等の転写対象物に転写するための転写具に関する。
【背景技術】
【０００２】
従来より、転写テープの基材に塗着した糊等の粘着剤、修正剤や着色剤等の転写物を紙等の転写対象物に転写するための、転写ヘッドを外方に突出させて備えたケース本体内に配設し、転写ヘッドにより転写テープを転写対象物に押し当てた状態で転写具又は転写対象物をスライドさせることで、転写テープが順次繰出されて転写物を転写対象物へ転写する転写具が知られている。
【０００３】
これらの転写具は、転写ヘッドが常に転写対象物に押圧された状態を保つよう転写具を支えながらスライドさせる必要があり、スライド時に転写ヘッドの動きが不安定になり易く、例えば封筒等の端部に粘着剤等を塗布する際に、ずれないよう一直線に転写することが困難であった。
【０００４】
この問題を解消するために、転写動作時に転写対象物の端部に当接し、端部に沿って転写ヘッドを案内しうるヘッド部案内用のガイドを設けるという技術が特許文献１や特許文献２に開示されている。
【０００５】
しかしながら、特許文献１及び特許文献２に記載された転写具では転写対象物の端部を当接させるガイドの位置を転写方向に対して左右どちらか一方にのみ設けているため、右手で転写具を保持して転写動作を行った場合と、左手で保持して行った場合では、転写対象物の置き方や転写具を手で保持する位置を変える必要があり扱い方が異なるものであった。
また、特許文献１については、転写ヘッドを案内するガイドを転写具の底面に配設するとともにガイドを転写具の底面に対して垂直方向及び水平方向に延びる鉤形状に形成し、転写対象物の端部にガイドの垂直部を当接させているが、転写対象物の厚みがガイドの垂直方向の長さを超えると、ヘッド部案内手段として使用できなくなるため、転写対象物の厚みに制限が必要であった。
【先行技術文献】
【特許文献】
【０００６】
【特許文献１】特開２００８−１０５１９４号公報
【特許文献２】特許４３５２９８４号
【発明の概要】
【発明が解決しようとする課題】
【０００７】
本発明は、前記問題を鑑みて、転写ヘッドが転写対象物に対してスライドする方向を案内するガイドを有すると共に左右どちらの手で操作しても同じ操作感で使用可能とし、更に転写対象物の厚みに制約されずに転写ヘッドを案内可能な転写具を提供することを課題とする。
【課題を解決するための手段】
【０００８】
本発明は、
「１．ケース本体の前方に該ケース本体に収容した転写テープを折り返す転写ヘッドを設け、前記転写ヘッドを介して前記転写テープの基材上の転写物を被転写面へ転写する転写具であって、前記ケース本体の両側にガイド体を配設し、前記ガイド体の前記ケース本体側に係止部を設け、前記ケース本体の両側面に被係止部を形成して該被係止部と前記係止部とを回動可能に係止し、前記ガイド体を回動することで該ガイド体の外縁を前記ケース本体の底面の下方へ突出させることを特徴とした転写具。
２．前記ガイド体を前記ケース本体の側方から視て、外縁が円形や楕円形などの曲線形状で形成し、転写動作時に前記ケース本体の両側に配設した２つの前記ガイド体のうち、一方のガイド体の外縁を被転写面に対して当接させたことを特徴とした１項に記載の転写具。」である。
【０００９】
本発明の転写具は、ケース本体の両側面にガイド体を配設し、転写ヘッドにより転写テープを被転写面に押圧した状態で前記ケース本体または転写対象物を転写対象物の端部にガイド体を当接させながらスライドすることで、転写対象物の端部に沿って転写物を転写対象物に転写することができる。また、ガイド体の係止部をケース本体の両側面に設けた被係止部に回動可能に係着し、ガイド体を回動した際にガイド体の一部をケース本体の底面から下方に突出可能に構成し、ガイド体の回転量でケース本体からガイド体が突出する量を調整可能とした。更にガイド体をケース本体の底面から任意に突出可能なため、転写対象物の厚みに影響されることなく転写対象物の端部や作業台の端部にガイド体の内側面を当接させながら転写動作を行うことができる。また、ガイド体をケース本体の両側面に設けることで、転写動作時に転写対象物の端部に当接させるガイド体を両側面から任意に選択でき、転写具を保持する手が右手でも左手でも同様の操作感で使用することが可能となる。
【００１０】
更に、転写動作時にケース本体の両側面に係着されている一方のガイド体で転写対象物の端部をガイドしながら他方のガイド体を被転写面に当接させることで、転写ヘッドと他方のガイド体の２か所で支えながら転写対象物の端部に沿っての転写動作を行うことができ、転写ヘッドが傾くのを防止して安定した転写動作を行うことができる。
【００１１】
また、転写動作時にガイド体を必要としない場合、一方と他方の２つのガイド体を回動させてガイド体を同じ量だけケース本体の底面の下方へ突出させ、被転写面に２つのガイドを同時に当接させることで転写ヘッドと２つのガイド体の３点で支えつつ転写動作を行うことができ、転写ヘッドの傾きを防止してより安定した転写動作が可能となる。このとき、一方のガイド体と他方のガイド体はケース本体に対して対象の形状に形成することで、転写ヘッドと２つのガイド体とが被転写面に当接している位置を直線で結ぶと二等辺三角形を形成するため、転写動作時の安定性が更に向上するためより好ましい。
【００１２】
更に、ガイド体の外周を円形や楕円などの曲線形状に形成することで、被転写面に当接したガイド体の外縁は常に曲率面で当接されるため、転写動作時に被転写面を滑らせても抵抗が少なく、スムーズな移動ができる。
【発明の効果】
【００１３】
本発明では、転写対象物の厚みに影響されずに転写対象物の端部に沿って転写ヘッドをスライドする方向を案内可能とすると共に右利きでの左利きでも同様に使用可能とする転写具を提供することができた。
【図面の簡単な説明】
【００１４】
【図１】実施例の転写具における断面図である。
【図２】実施例の転写具における側面図である。
【図３】図２における転写具を左側から視た図である。
【図４】図２におけるＡ−Ａ断面を示す断面図である。
【図５】一方のガイド体を用いて転写動作を行っている状態を示す側面図である。
【図６】他方のガイド体を用いて転写動作を行っている状態を示す側面図である。
【図７】ガイド体を用いて転写動作を行っている状態を示す側面図である。
【図８】一方と他方のガイドの縁部を同時に被転写面に当接して転写動作を行っている状態を示す正面図である。
【発明を実施するための形態】
【実施例】
【００１５】
実施例の転写具１は、いわゆる「テープのり」の形態であり、図１において、転写具１の底面方向を下方とし、縦軸の反対方向を上方と表現する。また、図１の転写具１の左側を前方と表現し、右側を後方と表現する。更に、転写具の厚み方向を幅方向と表現する。
【００１６】
図１に示すように転写具１は従来の「テープのり」と同様に、転写ヘッド２を外方へ突出させて形成したケース本体３内に、テープ状の基材４ａに転写物（糊）４ｂを塗着した転写テープ４を巻き付けた供給リール５と、転写テープ４を巻き取る巻き取りリール６とを回転可能に配設した構造のものであり、転写テープ４を転写ヘッド２によって折り返してある。また図２に示すように、転写ヘッド２により転写テープ４を転写対象物１００に押し当てた状態で転写具１または転写対象物１００を転写方向へスライドさせることで、転写テープ４が供給リール５により順次繰り出され、転写テープ４に塗着した塗着物（糊）を転写対象物１００へ転写する。転写し終わった転写テープ４の基材４ａは、巻き取りリール６により巻き取られる。
【００１７】
次に、図３〜図４を用いて、転写具１に形成する転写ヘッド２を案内する手段についての構成を説明する。図３〜図４に示すように、ケース本体３の両側面に幅方向に回転軸を有する係止凸部３ａを設け、ケース本体３の両側面にガイド体７を配設し、係止凸部３ａとガイド体７の側面に形成した係止凹部７ａとを回動可能に係着してある。また、ガイド体７の外周を略円形に形成し、係止凹部７ａをガイド体７の中心からずらして偏芯した位置に形成してある。更に係止凹部７ａはゴムやエラストマーなどの弾性体で成形することで係止凹部７ａと係着したガイド体７を回動する際に一定の抵抗を持たせてあり、ガイド体７を任意の回転位置で止めたときに簡単には動かないよう構成してある。更にガイド体７の外周面を滑らかに形成し、被転写面に当接した際に滑りやすくしてある。
【００１８】
次に、図５から図８用いて、本実施例の転写具を用いて転写対象物に転写動作を行う状態を説明する。
【００１９】
実施例の転写具は、図５のように作業台２００の端部や段部に合わせてセットされた紙製の転写対象物１００に、両側面にある一方のガイド体７ｂを回動し、ケース本体３の底面３ａから下方へ向かって一部を突出させる。突出した一方のガイド体７ｂのガイド部７ｃを作業台２００の端面に当接させつつ転写ヘッド２を転写対象の端部表面に押圧し、転写物を動かないよう押さえつけながら転写ヘッド２を転写方向にスライドさせることで、転写物（糊）１００ｂが転写対象物１００の端面に沿って被転写面１００ｃに塗着される。このとき、図５のように他方のガイド体7を回動してケース本体の底面３ａより下方へ突出させることで他方のガイド体７ｄを転写対象物１００の表面に当接させ、一方のガイド体７ｂで転写対象物１００の端部１００ａを案内しつつ他方のガイド体７ｄを転写対象物１００や作業台表面２００ａに当接させて転写具１を支えることができる。これにより転写動作時に転写ヘッド２が傾くのを防ぎ、転写具の姿勢を安定させた状態を維持することが可能となる。
【００２０】
また、図６のように一方のガイド体７ｂと他方のガイド体７ｄの役割を交替させることで、転写具１を保持する手を替えても同じ転写動作を実施することが可能となり、利き手に影響されない転写具の使用が可能となる。更に、転写対象物１００のどの端部に転写するかの状況に合わせて任意に当接させるガイド体を選べるため、利便性がよく使い勝手が向上する。
【００２１】
更に、図７のように転写対象物に厚みがある場合でも、ガイド体７のケース本体の底面３ａからの突出量をガイド体７の回転量により調整することができ、転写対象物１１０の厚みに影響されずに転写対象物１１０の端部に沿って転写物を転写させることができる。
【００２２】
また、ガイド体を用いずに転写動作を行う際には、ガイド体７をケース本体の底面３ａから突出させなければ従来通りの使い方もでき、図８のように両側面のガイド体７をケース本体３の底面３ａより同じ量だけ突出させて転写対象物１００の表面に同時に当接させることで、転写ヘッド２と一方のガイド体７ｂと他方のガイド体７ｄとの３点で支えながら転写動作を行うことができ、より転写ヘッド２を安定した状態で使用可能となる。このとき、一方のガイド体７ｂと他方のガイド体７ｄはケース本体３に対して対象の形状に形成することで、転写ヘッド２と２つのガイド体とが被転写面に当接している位置を直線で結ぶと二等辺三角形を形成するため（図示せず）、転写動作時の安定性が更に向上するためより好ましい。また、転写ヘッドを転写対象物に押圧する角度もガイド体７の突出量で任意に設定可能なため、使用者にとって最も使い易い角度を選んで安定した転写動作を行うことが可能となる。
【産業上の利用可能性】
【００２３】
本発明による転写具の構造は、糊などを塗着させるテープのりほか、間違った部分などを上塗りするための修正剤や着色剤を塗着させる修正テープなどに使用することができる。
【符号の説明】
【００２４】
１…転写具、
２…転写ヘッド、
３…ケース本体、３ａ…底面、３ｂ…係止凸部、３ｃ…カバー受部、
４…転写テープ、４ａ…基材、４ｂ…転写物、
５…供給リール、
６…巻取リール、
７…ガイド体、７ａ…係止凹部、７ｂ…一方のガイド体、７ｃ…ガイド部、７ｄ…他方のガイド体、
１００…転写対象物、１００ａ…端部、１００ｂ…被転写面。
１１０…転写対象物
２００…作業台、２００ａ…作業台の表面。
【図１】
2016101740.tif 000003
【図２】
2016101740.tif 000004
【図３】
2016101740.tif 000005
【図４】
2016101740.tif 000006
【図５】
2016101740.tif 000007
【図６】
2016101740.tif 000008
【図７】
2016101740.tif 000009
【図８】
2016101740.tif 000010